(57)【要約】【課題】商品販売データ登録装置のメインディスプレイの輝度や色を責任者テーブルに設定された情報をもとに自動的にその責任者に適した輝度や色で設定することを可能とする。【解決手段】商品販売データ登録装置は、責任者を特定する情報を入力する責任者入力手段と、責任者毎に表示情報を記憶する表示情報記憶手段と、前記責任者入力手段によって入力された情報で特定された責任者の表示情報記憶手段に記憶された表示情報で表示器を調整する調整手段とを備える。【選択図】図１
2012181801.tif 000002
【特許請求の範囲】
【請求項１】
責任者を特定する情報を入力する責任者入力手段と、
責任者毎に画面情報を記憶する画面情報記憶手段と、
前記責任者入力手段によって入力された情報で特定された責任者の画面情報記憶手段に記憶された画面情報で表示器を調整する調整手段と
を備えたことを特徴とする商品販売データ登録装置。
【請求項２】
前記画面情報記憶手段は、少なくとも輝度と画面の色であることを特徴とする請求項１に記載の商品販売データ登録装置。
【請求項３】
前記責任者入力手段により責任者を特定する情報が入力されたとき、前記画面情報記憶手段に情報が設定されていない場合は、画面情報設定の画面を表示させることを特徴とする請求項１に記載の商品販売データ登録装置。
【請求項４】
前記画面情報設定の画面には、設定した画面情報でプレビュー表示させることを特徴とする請求項１に記載の商品販売データ登録装置。
【請求項５】
商品販売データ登録装置のプログラムであって、
前記商品販売データ登録装置に、
責任者を特定する情報を入力する機能と、
責任者毎に画面情報を記憶する機能と、
前記責任者入力手段によって入力された情報で特定された責任者の画面情報記憶手段に記憶された画面情報で表示器を調整する機能と
を実現させるためのプログラム。
【発明の詳細な説明】
【技術分野】
【０００１】
この発明の実施形態は、表示器が用いられる商品販売データ登録装置及びそのプログラムに関する。
【背景技術】
【０００２】
従来より、表示画面の輝度を調節を有する電子機器が知られている（特許文献１参照）。
【先行技術文献】
【特許文献】
【０００３】
【特許文献１】特開平５−２６５４０１号公報
【発明の概要】
【発明が解決しようとする課題】
【０００４】
しかしながら、従来、商品販売データ登録装置において、多様な情報を表示する機能を持っている表示器が一般的に使用されるようになっている。この表示器においては、その輝度を自由に設定することができるため、各責任者が必要に応じてボリュームスイッチなどで、その輝度を調整している。
【０００５】
また、商品販売データ登録装置を複数人の責任者により共用するときには、責任者の体格や姿勢により表示器に対面する目の角度が変わったり、責任者の個人的な好みが違う等の理由により、表示器の輝度の設定を替えなければならない場合が多い。従来は、表示器の輝度調整を行なうことは可能であるが、その操作を責任者毎に行なわなければならず、きわめて煩わしいものである。
【課題を解決するための手段】
【０００６】
上述した課題を解決するために、実施形態の商品販売データ登録装置は、責任者を特定する情報を入力する責任者入力手段と、責任者毎に画面情報を記憶する画面情報記憶手段と、前記責任者入力手段によって入力された情報で特定された責任者の画面情報記憶手段に記憶された画面情報で表示器を調整する調整手段とを備えたことを特徴とする。
【図面の簡単な説明】
【０００７】
【図１】図１は、実施形態にかかる本発明の実施形態となる商品販売データ登録装置の概観を示す図である。
【図２】図２は、同実施形態における商品販売データ登録装置の制御回路を示す模式図である。
【図３】図３は、同実施形態における責任者テーブルの一例を示す模式図である。
【図４】図４は、同実施形態における画面の一例を示す図である。
【図５】図５は、同実施形態における設定画面の一例を示す図である。
【図６】図６は、同実施形態において商品販売データ登録装置のＣＰＵが実行する処理の流れ図である。
【発明を実施するための形態】
【０００８】
以下に添付図面を参照して、実施形態にかかる商品販売データ登録装置の詳細を説明する。
【０００９】
本発明の実施形態となる商品販売データ登録装置１は、図１に示すように、現金等を収容するドロワ２の上に載置され、ドロワ２の引出し２ａの開閉を制御する。商品販売データ登録装置１の正面側にはキーボード３とモードスイッチ４が設けられている。キーボード３は、責任者が預かり金額等を入力するための操作部である。モードスイッチ４は、登録，点検，精算，設定等の各種業務モードを選択するための操作部であり、鍵により操作される。
【００１０】
商品販売データ登録装置１の正面側には責任者用のメインディスプレイ５が接続され、背面側には客用のサブディスプレイ６が接続されている。メインディスプレイ５及びサブディスプレイ６は、バックライトを備えた液晶カラーディスプレイにより構成され、販売登録された商品の品名及び価格や１取引の合計金額や釣銭額等を表示する。
【００１１】
商品販売データ登録装置１はレシート及びジャーナルを印字するR/Jプリンタ７を有し、R/Jプリンタ７により印字されたレシートは商品販売データ登録装置１の正面側に形成されたレシート発行口８から発行される。商品販売データ登録装置１には、商品の販売登録の際に商品ラベルに印刷されたバーコードを読取るためのコードスキャナ９が接続されている。
【００１２】
商品販売データ登録装置１の制御回路の模式図を図２に示している。商品販売データ登録装置１は、内部に制御の中枢として機能するＣＰＵ２０を備えている。そして、ＣＰＵ２０に、制御プログラム等の固定的データを記憶するＲＯＭ２１、処理場面に応じて各種の作業用記憶領域を形成するＲＡＭ２２、各種のアプリケーションプログラムやデータベースを記憶するＨＤＤ（ハードディスクドライブ）２３、メインディスプレイ５、ドロワ２、レシート及びジャーナルを印字するR/Jプリンタ７、スキャナ９、ストアコントローラ（図示せず）と通信するための通信Ｉ／Ｆ２９がバスライン３０で接続されている。
【００１３】
図３は、責任者テーブルの一例を示す模式図である。責任者テーブル３０は責任者番号に対応させて、責任者の氏名、表示設定のための画面情報として、輝度情報及び表示色を記憶している。この表示色は画面全体の表示色や各表示エリアの色情報の設定が可能である。
【００１４】
図４は、商品販売データ登録装置１のメインディスプレイ５の商品登録時の表示画面を示す概念図である。背景表示部４０は画面全体の背景を表示するエリアである。業務名表示部４１は、現在実行している業務モードの名称を表示するエリアである。登録一覧表示部４２は、商品登録された商品の名称、数量、単価及び金額を一覧表示するエリアである。登録商品表示部４３は、商品登録された商品の商品名、点数及び金額を表示するエリアである。合計表示部４４は、商品登録された商品の合計金額及び合計点数を表示するエリアである。この表示画面は責任者テーブル３０に設定されている輝度情報や色情報に応じた値で表示する。責任者テーブル３０において、各表示エリア毎に色情報は設定されている場合は、設定情報に応じて各エリアの色を設定することが可能である。
【００１５】
図５は、各責任者毎の画面情報を設定するための設定画面を示す概念図である。責任者番号表示部５１には、これから画面情報を設定する責任者の責任者番号が表示される。画面情報設定部５２には、輝度情報及び表示色を設定するエリアである。決定ボタン５２は、画面情報設定部５２にて設定された画面情報を責任者テーブル３０の該当する責任者のエリアに記憶させるためのボタンである。プレビューボタン５３は、設定した値がどのような表示になるかを確認するためのボタンである。
【００１６】
図６は、商品販売データ登録装置１のＣＰＵ２０が実行する処理の流れ図である。先ず、商品販売データ登録装置１の業務を開始する前に正規の責任者である旨を登録するために責任者番号を入力する（ＳＴ１００）。責任者番号の入力は、商品販売データ登録装置１のキーボード３からの入力や責任者番号をコード化したデータコードをスキャナ９で読み込むことにより入力される。
【００１７】
そして、責任者番号が入力されたならば、入力した責任者番号が責任者テーブル３０に存在するか判定を行う（ＳＴ１０１）。入力した責任者番号が責任者テーブル３０に存在しない場合はエラー処理を行う（ＳＴ１０１のＮ）。入力された責任者番号が責任者テーブル３０に存在していた場合は、責任者テーブル３０に輝度情報や色情報が設定されているか確認する（ＳＴ１０２）。
【００１８】
責任者テーブル３０に輝度情報や色情報が設定されていない場合（ＳＴ１０２のＮ）は、この商品販売データ登録装置１を操作することが初めてであると判断し、輝度情報や色情報の設定画面が商品販売データ登録装置１のメインディスプレイ５に表示される（ＳＴ１０３）。
【００１９】
輝度情報や色情報の設定画面が商品販売データ登録装置１のメインディスプレイ５に表示されたならば、各項目を責任者の好みの数値や色情報を設定する（ＳＴ１０４）。各項目の設定が終了したならば、設定した情報を該当する責任者テーブル３０の責任者番号のエリアに記憶させる（ＳＴ１０５）。
【００２０】
そして、設定された輝度情報や色情報をもとにメインディスプレイ５の表示を調整する（ＳＴ１０６）。この輝度情報や色情報の設定は、設定モードにおいていつでも設定が可能である。
【００２１】
このように、メインディスプレイの輝度情報や色情報の設定を責任者毎に記憶させ、責任者を特定することにより、対応する予め設定された輝度や色でメインディスプレイを駆動するようにしたので、商品販売データ登録装置を複数人の責任者が共用する場合に、自動的にその責任者に適した輝度や色でメインディスプレイの輝度や色を設定することが可能となる。これにより責任者の作業性が大幅に向上する。
【符号の説明】
【００２２】
１…販売データ登録装置、３…キーボード、５…メインディスプレイ、９…スキャナ、２８…Ｒ／Ｊプリンタ
【図１】
2012181801.tif 000003
【図２】
2012181801.tif 000004
【図３】
2012181801.tif 000005
【図４】
2012181801.tif 000006
【図５】
2012181801.tif 000007
【図６】
2012181801.tif 000008